(57)【要約】【課題】端子群間における電気的悪影響を抑制する。【解決手段】本開示におけるコネクタ１０は、第１端子群３６と、第２端子群３８と、絶縁性のハウジング３０と、導電性の導電部材６０と、を備えたコネクタ１０であって、第１端子群３６は、並んで配置された複数の端子２０を含んでおり、第２端子群３８は、並んで配置された複数の端子２０を含んでおり、ハウジング３０は、第１端子群３６と、第２端子群３８とを２段に並べて保持しており、導電部材６０は、仕切部６２と、一対の延出部６４とを有しており、仕切部６２は、板状に形成され、第１端子群３６と第２端子群３８との間を仕切るようにハウジング３０に保持されており、一対の延出部６４は、仕切部６２の両側の側縁から第１端子群３６側または第２端子群３８側のいずれか一方に向けて延出している。【選択図】図４
2020166929.tif 000002
【特許請求の範囲】
【請求項１】
第１端子群と、第２端子群と、絶縁性のハウジングと、導電性の導電部材と、を備えたコネクタであって、
前記第１端子群は、並んで配置された複数の端子を含んでおり、
前記第２端子群は、並んで配置された複数の端子を含んでおり、
前記ハウジングは、前記第１端子群と、前記第２端子群とを２段に並べて保持しており、
前記導電部材は、仕切部と、一対の延出部とを有しており、
前記仕切部は、板状に形成され、前記第１端子群と前記第２端子群との間を仕切るように前記ハウジングに保持されており、
前記一対の延出部は、前記仕切部の両側の側縁から前記第１端子群側または前記第２端子群側のいずれか一方に向けて延出しているコネクタ。
【請求項２】
前記一対の延出部は、前記第１端子群または前記第２端子群のいずれか一方の側部を覆う位置まで延出している請求項１に記載のコネクタ。
【請求項３】
前記一対の延出部は、前記ハウジングに覆われている請求項１または請求項２に記載のコネクタ。
【発明の詳細な説明】
【技術分野】
【０００１】
本開示は、コネクタに関する。
【背景技術】
【０００２】
例えば、電気信号の高速伝送用の基板用コネクタは、特開２０１８−１１３１９７号公報（下記特許文献１）に開示されている。このコネクタは、第１の端子群と第２の端子群とを含む端子群と、端子群を保持するハウジングと、導電性を有する平板状のプレートとを備えている。
【０００３】
第１の端子群と、第２の端子群とは、ハウジングにおいて上下に２段に配置されている。プレートは、端子群間で生じるクロストークなどの電気的悪影響を低減または回避するために、第１の端子群と第２の端子群との間を上下方向に仕切るようにハウジングに保持されている。
【先行技術文献】
【特許文献】
【０００４】
【特許文献１】特開２０１８−１１３１９７号公報
【発明の概要】
【発明が解決しようとする課題】
【０００５】
ところで、上記のコネクタにおけるプレートは、第１の端子群と第２の端子群とを上下方向に仕切ることができる。しかしながら、それぞれの端子群の間隔が狭い場合には、それぞれの端子群の信号やノイズがプレートの両側から他方の端子群に伝わり易くなる。したがって、第１の端子群と第２の端子群との間にプレートを配置したとしても、端子群間で生じるクロストークなどの電気的悪影響が懸念される。
【０００６】
本明細書では、端子群間における電気的悪影響を抑制する技術を開示する。
【課題を解決するための手段】
【０００７】
本開示のコネクタは、第１端子群と、第２端子群と、絶縁性のハウジングと、導電性の導電部材と、を備えたコネクタであって、前記第１端子群は、並んで配置された複数の端子を含んでおり、前記第２端子群は、並んで配置された複数の端子を含んでおり、前記ハウジングは、前記第１端子群と、前記第２端子群とを２段に並べて保持しており、前記導電部材は、仕切部と、一対の延出部とを有しており、前記仕切部は、板状に形成され、前記第１端子群と前記第２端子群との間を仕切るように前記ハウジングに保持されており、前記一対の延出部は、前記仕切部の両側の側縁から前記第１端子群側または前記第２端子群側のいずれか一方に向けて延出している。
【発明の効果】
【０００８】
本開示によれば、端子群間における電気的悪影響を抑制できる。
【図面の簡単な説明】
【０００９】
【図１】図１は、コネクタの正面図である。
【図２】図２は、シールドシェルを外した状態のコネクタの斜視図である。
【図３】図３は、図１のＩＩＩ−ＩＩＩ線断面図である。
【図４】図４は、図３のＩＶ−ＩＶ線における断面に相当する断面図である。
【発明を実施するための形態】
【００１０】
［本開示の実施形態の説明］
最初に本開示の実施形態を列挙して説明する。
【００１１】
（１）第１端子群と、第２端子群と、絶縁性のハウジングと、導電性の導電部材と、を備えたコネクタであって、前記第１端子群は、並んで配置された複数の端子を含んでおり、前記第２端子群は、並んで配置された複数の端子を含んでおり、前記ハウジングは、前記第１端子群と、前記第２端子群とを２段に並べて保持しており、前記導電部材は、仕切部と、一対の延出部とを有しており、前記仕切部は、板状に形成され、前記第１端子群と前記第２端子群との間を仕切るように前記ハウジングに保持されており、前記一対の延出部は、前記仕切部の両側の側縁から前記第１端子群側または前記第２端子群側のいずれか一方に向けて延出している。
【００１２】
第１端子群と第２端子群との間を仕切部によって仕切ることに加え、それぞれの端子群の信号やノイズが仕切部の側縁から他方の端子群側に向かって伝わることを一対の延出部によって抑制することができる。これにより、第１端子群と第２端子群との間におけるクロストークの発生を抑制でき、高周波特性への電気的悪影響を低減又は回避できる。
（２）前記一対の延出片は、前記第１端子群または前記第２端子群のいずれか一方の側部を覆う位置まで延出している構成にしてもよい。
【００１３】
一対の延出片が、第１端子群または第２端子群のいずれか一方の側部を覆う位置まで延出している。つまり、第１端子群と第２端子群と間の沿面距離が大きく確保することができる。これにより、それぞれの端子群の信号やノイズが仕切部の側縁から他方の端子群側に向かって伝わることを一対の延出部によって確実に抑制できる。
【００１４】
（３）前記一対の延出片は、前記ハウジングに覆われている構成にしてもよい。
一対の延出片がハウジングに覆われているから、コネクタが相手側コネクタと嵌合する際に、一対の延出片が相手側コネクタと接触するなどして破損することを防ぐことができる。
［本開示の実施形態の詳細］
本開示のコネクタの具体例を、以下の図面を参照しつつ説明する。なお、本開示は、これらの例示に限定されるものではなく、特許請求の範囲によって示され、特許請求の範囲と均等の意味および範囲内でのすべての変更が含まれることが意図される。
【００１５】
＜実施形態＞
本開示における一実施形態について図１から図４を参照して説明する。
［コネクタ１０］
本実施形態にかかるコネクタ１０は、複数の電線Ｗの端末に取り付けられるシールドコネクタとされている。コネクタ１０は、図１から図３に示されるように、端子２０と、ハウジング３０と、導電部材６０と、シールドシェル７０とを備えている。以下の説明において、複数の同一部材については、一部の部材に符号を付し、他の部材については符号を省略する場合がある。
【００１６】
［端子２０］
複数の端子２０は、それぞれが導電性を有する金属板材を加工することにより形成されている。
端子２０は、図３に示されるように、端子接続部２２と、電線接続部２４とを備えている。端子接続部２２は、前後方向に長い平板状に形成されている。端子接続部２２は、図示しない相手側コネクタの相手側端子と接続可能とされている。
【００１７】
電線接続部２４は、端子接続部２２の後方に連なって形成されている。電線接続部２４は、電線Ｗの端末において露出した芯線Ｗ１に接続されている。これにより、端子２０が電線Ｗの端末に電気的に接続されている。
【００１８】
［ハウジング３０］
ハウジング３０は、絶縁性の合成樹脂によって形成されている。ハウジング３０は、図１から図４に示されるように、嵌合部３２と、端子保持部３４とを備えている。
【００１９】
［嵌合部３２］
嵌合部３２は、図示しない相手側コネクタと嵌合可能とされている。嵌合部３２は、図１から図４に示されるように、左右方向に長い扁平な形態で端子保持部３４の前端部に連なって形成されている。嵌合部３２の上部および下部には、端子２０の端子接続部２２が配置される端子配置溝３３が左右方向に横並びに複数形成されている。本実施形態は、嵌合部３２の上部に５つの端子２０が横並びに配置されている。また、嵌合部３２の下部には、５つの端子２０が上部の端子２０に対して左右方向にずれた状態で横並びに配置されている。
【００２０】
端子配置溝３３は、図２に示されるように、端子保持部３４との境界部分から嵌合部３２の前端部まで前後方向に延びる凹状に形成されている。
つまり、嵌合部３２の上部および下部には、図１から図４に示されるように、端子２０の端子接続部２２が左右方向に並んで上下に２段に配置されている。嵌合部３２の上部において左右方向に並んだ上段の複数の端子２０は第１端子群３６とされ、嵌合部３２の下部において左右方向に並んだ下段の複数の端子２０は第２端子群３８とされている。
【００２１】
言い換えると、第１端子群３６は、嵌合部３２の上部において左右方向に並んで配置された５つの端子２０を含んでおり、第２端子群３８は、嵌合部３２の下部において左右方向に並んで配置された５つの端子２０を含んでいる。
【００２２】
［端子保持部３４］
端子保持部３４は、図１から図４に示されるように、直方体状に形成されている。端子保持部３４の前端部には、図３に示されるように、複数の端子２０の端子接続部２２が圧入されることによってハウジング３０に保持されている。端子保持部３４の後部には、後方から導入される複数の電線Ｗに接続された電線接続部２４が収容されている。
【００２３】
ハウジング３０は、図１から図４に示されるように、第１ハウジング４１と、第２ハウジング４６とを上下方向に組み付けて構成されている。
［第１ハウジング４１］
第１ハウジング４１は、図３および図４に示されるように、第２ハウジング４６に対して上方から組み付けられる。第１ハウジング４１は、第１嵌合部４２と、第１端子保持部４３とを備えている。第１嵌合部４２は、嵌合部３２の上部を構成する。第１端子保持部４３は、第１嵌合部４２の後方に連なって形成されており、端子保持部３４の上部を構成する。第１ハウジング４１における第２ハウジング４６側の部分には、導電部材６０が装着される第１取付凹部４４が形成されている。
【００２４】
第１取付凹部４４は、図３に示されるように、第１嵌合部４２における端子配置溝３３の前端よりもやや後方の位置から第１端子保持部４３の後端までの範囲に形成されている。また、第１取付凹部４４は、図４に示されるように、第１嵌合部４２における端子配置溝３３が設けられた範囲よりも左右方向に大きく形成されている。
【００２５】
［第２ハウジング４６］
第２ハウジング４６は、図３および図４に示されるように、第２嵌合部４７と、第２端子保持部４８とを備えている。第２嵌合部４７は、嵌合部３２の下部を構成する。第２端子保持部４８は、第２嵌合部４７の後方に連なって形成されており、端子保持部３４の下部を構成する。
【００２６】
第２ハウジング４６における第１ハウジング４１側の部分には、図３に示されるように、導電部材６０が装着される第２取付凹部４９が、第１ハウジング４１の第１取付凹部４４と上下方向に対向するように形成されている。第２取付凹部４９は、第１ハウジング４１における第１取付凹部４４と同様に、第２嵌合部４７における端子配置溝３３の前端よりもやや後方の位置から第２端子保持部４８の後端までの範囲であって、図４に示されるように、第２嵌合部４７における端子配置溝３３が設けられた範囲よりも左右方向に大きく形成されている。
【００２７】
第２ハウジング４６における第２取付凹部４９の左右方向両側には、第２取付凹部４９よりも下方に向けて凹んだ収容凹部５０がそれぞれ形成されている。
収容凹部５０は、第２嵌合部４７における端子配置溝３３よりも下方に深く凹んで形成されている。
【００２８】
［導電部材６０］
導電部材６０は、導電性の金属板材を加工して形成されている。導電部材６０は、図４に示されるように、仕切部６２と、一対の延出部６４とを有している。
【００２９】
仕切部６２は、第１取付凹部４４および第２取付凹部４９に対応する大きさの平板状に形成されている。仕切部６２の厚さ寸法は、第１取付凹部４４の上下方向の深さ寸法と第２取付凹部４９の上下方向の深さ寸法との合計寸法とほぼ同じとされている。
【００３０】
したがって、第１ハウジング４１と第２ハウジング４６とが組み付けられると、図３および図４に示されるように、仕切部６２が上下方向両側から第１取付凹部４４と第２取付凹部４９とによって挟み込まれ、導電部材６０がハウジング３０に保持される。
【００３１】
また、仕切部６２が第１取付凹部４４と第２取付凹部４９との間に配置されると、第１端子群３６における端子接続部２２の先端部分を除いた部分と、第２端子群３８における端子接続部２２の先端部分を除いた部分とが仕切部６２によって上下に仕切られた状態となる。
【００３２】
一対の延出部６４は、図４に示されるように、仕切部６２の左右方向両側の側縁から下方に延びて形成されている。延出部６４は仕切部６２の前後方向の全長にわたって形成されている。延出部６４における仕切部６２からの延出寸法は、仕切部６２と第２端子群３８との間の距離よりも大きく設定されている。
【００３３】
言い換えると、一対の延出部６４は、第２端子群３８における端子２０の左右方向両側の側部を覆う位置まで延出している。
そして、導電部材６０がハウジング３０に保持されると、一対の延出部６４は、第２ハウジング４６の収容凹部５０内に収容される。
【００３４】
つまり、導電部材６０は、図４に示されるように、仕切部６２が第１ハウジング４１および第２ハウジング４６によって上下方向両側から覆われており、一対の延出部６４が第２ハウジング４６によって左右方向両側から覆われている。
【００３５】
また、第２端子群３８は、第１ハウジング４１および第２ハウジング４６によって覆われた仕切部６２および一対の延出部６４によって３方向（上方および左右方向両側）から囲まれるようになっている。
【００３６】
［シールドシェル７０］
シールドシェル７０は、導電性の金属板材を加工して形成されている。シールドシェル７０は、図１、図３および図４に示されるように、ハウジング３０の外周を覆う角筒状に形成されている。シールドシェル７０の後端部は、複数の電線Ｗを一括して覆う図示しない筒状の編組体が接続可能とされている。
【００３７】
本実施形態は、以上のような構成であって、続いて、コネクタ１０の作用および効果について説明する。
例えば、第１の端子群と第２の端子群とが上下に２段に配置されたハウジングにおいて、第１の端子群と第２の端子群との間に平板状の導電部材を配置することにより、端子群間を上下方向に遮ることができる。
【００３８】
しかしながら、それぞれの端子群の間隔が狭いなど、それぞれの端子群の信号やノイズがプレートの両側から他方の端子群に伝わり易い場合には、端子群間で生じるクロストークなどの電気的悪影響が懸念される。
【００３９】
そこで、本発明者らは、上記の課題を解決するため、鋭意検討を行った結果、本実施形態の構成を見出した。すなわち、本実施形態は、第１端子群３６と、第２端子群３８と、絶縁性のハウジング３０と、導電性の導電部材６０と、を備えたコネクタ１０である。第１端子群３６は、並んで配置された複数の端子２０を有しており、第２端子群３８は、並んで配置された複数の端子２０を有しており、ハウジング３０は、第１端子群３６と、第２端子群３８とを２段に並べて保持している。導電部材６０は、仕切部６２と、一対の延出部６４とを有しており、仕切部６２は、板状に形成され、第１端子群３６と第２端子群３８との間を仕切るようにハウジング３０に保持されており、一対の延出部６４は、仕切部６２の左右方向両側の側縁から第１端子群３６側または第２端子群３８側のいずれか一方に向けて延出している。
【００４０】
第１端子群３６と第２端子群３８との間を仕切部６２によって仕切ることに加え、一対の延出部６４によって、それぞれの端子群３６，３８の信号やノイズが仕切部６２の左右方向両側から他方の端子群側に向かって伝わることを抑制できる。これにより、第１端子群３６と第２端子群３８との間におけるクロストークの発生を抑制でき、第１端子群３６および第２端子群３８における高周波特性の電気的悪影響を低減または回避できる。
【００４１】
一対の延出部６４は、第１端子群３６または第２端子群３８のいずれか一方の側部を覆う位置まで延出している。
本実施形態によると、一対の延出部６４が、第２端子群３８の側部を覆う位置まで延出している。つまり、第１端子群３６と第２端子群３８と間の沿面距離を大きく確保することができる。これにより、それぞれの端子群３６，３８の信号やノイズが仕切部６２の両側の側縁から他方の端子群側に向かって伝わることを一対の延出部６４によって確実に抑制できる。
【００４２】
一対の延出部６４は、ハウジング３０に覆われている。一対の延出部６４がハウジング３０に覆われているから、コネクタ１０が相手側コネクタと嵌合する際に、一対の延出部６４が相手側コネクタと接触するなどして破損することを防ぐことができる。
【００４３】
＜他の実施形態＞
（１）上記実施形態では、端子接続部２２を平板状に構成した。しかしながら、これに限らず、端子接続部は、嵌合部から離れる方向に湾曲する形態に構成されてもよい。
（２）上記実施形態では、第１端子群３６および第２端子群３８が５つの端子２０を含む構成にした。しかしながら、これに限らず、それぞれの端子群は、４つ以下の端子によって構成されてもよく、６つ以上の端子によって構成されてもよい。また、第１端子群と第２端子群の端子の数が異なってもよい。
【００４４】
（３）上記実施形態では、一対の延出部６４が第２端子群３８の端子２０よりも下方に延出された構成とした。しかしながら、これに限らず、延出部は、下方に向かって延出していれば、第２端子群の端子よりも下方に延出していなくともよい。また、一方の延出部は、他方の延出部から離れるように斜め下に向かって延出する構成にしてもよい。
【００４５】
（４）上記実施形態では、一対の延出部６４が第２端子群３８側に向かって下方に延出された構成とした。しかしながら、これに限らず、延出部は、第１端子群側に向かって上方に延出する構成にしてもよい。
【００４６】
（５）上記実施形態では、複数の電線Ｗの端部に取り付けられるシールドコネクタを一例として示した。しかしながら、これに限らず、本開示のコネクタは、回路基板に取り付けられるシールドコネクタや、シールドシェルを備えていないノンシールドコネクタでもよい。
【符号の説明】
【００４７】
１０：  コネクタ
２０：  端子
２２：  端子接続部
２４：  電線接続部
３０：  ハウジング
３２：  嵌合部
３３：  端子配置溝
３４：  端子保持部
３６：  第１端子群
３８：  第２端子群
４１：  第１ハウジング
４２：  第１嵌合部
４３：  第１端子保持部
４４：  第１取付凹部
４６：  第２ハウジング
４７：  第２嵌合部
４８：  第２端子保持部
４９：  第２取付凹部
５０：  収容凹部
６０：  導電部材
６２：  仕切部
６４：  延出部
７０：  シールドシェル
Ｗ１：  芯線
Ｗ：  電線
【図１】
2020166929.tif 000003
【図２】
2020166929.tif 000004
【図３】
2020166929.tif 000005
【図４】
2020166929.tif 000006